(57)【要約】      （修正有）【課題】ＣＤＭ復調、ＦＥＣ及びデコードを行う回路規模の増加を抑え、また番組の記録用メモリの増加も抑えた受信装置を提供する。【解決手段】ＣＤＭ方式のデジタル放送信号を受信するチューナ１２とこのチューナ出力をＣＤＭ復調するＣＤＭ部１３，１５とこのＣＤＭ復調されたデータの誤り訂正を行うＦＥＣ部１６とこの誤り訂正されたデータの復号を行うデコーダ部１７を備え、復号された番組データを表示及び音声出力部へ出力する復調復号処理部と、この復調復号処理部で所望の番組データを復号して視聴しているときに、ＣＤＭ部の復調過程で得られる別の番組データを保存するメモリ部１８と、番組視聴終了後に復調復号処理部の受信処理をオフラインにし、メモリ部１８の保存データを、復調復号処理部の復調過程に切り換えて入力し復調復号処理して再生可能とする切り換え部１４と、を具備する。【選択図】図１
2008124667.tif 000002
【特許請求の範囲】
【請求項１】
ＣＤＭ方式で複数チャンネルが多重された、所定の周波数帯域のデジタル放送信号を受信するチューナと、
前記チューナの出力をＣＤＭ復調するＣＤＭ部と、このＣＤＭ部で復調されたデータの誤り訂正を行うＦＥＣ部と、このＦＥＣ部で誤り訂正されたデータの復号を行うデコーダ部とを備え、復号された番組データを表示及び音声出力部へ出力する復調復号処理部と、
前記復調復号処理部で所望のチャンネルの番組データを復号して視聴しているときに、別のチャネルの番組データを保存するために前記ＣＤＭ部の復調過程で得られるデータを保存するメモリ部と、
番組視聴終了後に前記復調復号処理部の受信処理をオフラインにし、前記メモリ部に保存されたデータを、前記復調復号処理部の復調過程に切り換えて入力し復調復号処理して再生可能とする切り換え部と、
を具備したことを特徴とする受信装置。
【請求項２】
番組視聴終了後の前記切り換え部の切り換えによって、前記メモリ部に保存されたデータを前記復調復号処理部で復調復号処理して得た番組データを再保存し、かつ前記表示及び音声出力部で再生可能とする第２の切り換え部を、更に具備したことを特徴とする請求項１に記載の受信装置。
【請求項３】
ＣＤＭ方式で複数チャンネルが多重された、所定の周波数帯域のデジタル放送信号を受信するチューナと、
前記チューナの出力をＣＤＭ復調するＣＤＭ部と、このＣＤＭ部で復調されたデータの誤り訂正を行うＦＥＣ部と、このＦＥＣ部で誤り訂正されたデータの復号を行うデコーダ部とを備え、復号された番組データを表示及び音声出力部へ出力する第１の復調復号処理部と、
前記第１の復調復号処理部で所望のチャンネルの番組データを復号して視聴しているときに、リアルタイムで番組データを復調復号処理することが可能な、ＣＤＭ部の一部とＦＥＣ部とデコーダ部とを有する、前記第１の復調復号処理部とは別に設けられた第２の復調復号処理部と、
前記第２の復調復号処理部で復号した番組データを保存する一方、保存された番組データを前記表示及び音声出力部へ出力することが可能な切り換え部と、
を具備したことを特徴とする受信装置。
【請求項４】
ＣＤＭ方式で複数チャンネルが多重された、所定の周波数帯域のデジタル放送信号を受信するチューナと、
前記チューナの出力をＣＤＭ復調するＣＤＭ部と、このＣＤＭ部で復調されたデータの誤り訂正を行うＦＥＣ部と、このＦＥＣ部で誤り訂正されたデータの復号を行うデコーダ部とを備え、復号された番組データを表示及び音声出力部へ出力する第１の復調復号処理部と、
前記第１の復調復号処理部で所望のチャンネルの番組データを復号して視聴しているときに、リアルタイムで番組データを復調復号処理することが可能な、ＣＤＭ部の一部とＦＥＣ部とデコーダ部とを有する、前記第１の復調復号処理部とは別に設けられた第２の復調復号処理部と、
前記第１の復調復号処理部で所望のチャンネルの番組データを復号して視聴しているときに、別のチャネルの番組データを保存するために前記ＣＤＭ部の復調過程で得られるデータを保存するメモリ部と、
番組視聴終了後に前記第１の復調復号処理部の受信処理をオフラインにし、前記メモリ部に保存されたデータを、前記第１の復調復号処理部の復調過程に切り換えて入力し復調復号処理して再生可能とする第１の切り換え部と、
前記第２の復調復号処理部で復号した番組データを保存する一方、保存された番組データを前記表示及び音声出力部へ出力することが可能な第２の切り換え部と、
を具備したことを特徴とする受信装置。
【請求項５】
番組視聴終了後の前記切り換え部の切り換えによって、前記メモリ部に保存されたデータを前記第１の復調復号処理部で復調復号処理して得た番組データを再保存し、かつ前記表示及び音声出力部で再生可能とする第３の切り換え部を、更に具備したことを特徴とする請求項４に記載の受信装置。
【発明の詳細な説明】
【技術分野】
【０００１】
本発明は、衛星放送システム、地上放送システムにおける、ＣＤＭ方式のデジタル放送信号を受信し録画することが可能な受信装置に関する。
【背景技術】
【０００２】
現在、移動体向けに衛星経由でデジタル放送サービスを提供する移動体向け放送システムが実用化されている。この放送システムは、ＭＰＥＧ−４（Moving Picture Experts Group phase 4）方式により圧縮符号化された複数の番組コンテンツのトランスポートストリームを、スペクトラム拡散技術を用いたＣＤＭ（Code Division Multiplex：符号分割多重）方式により多重して放送信号を生成し、衛星経由で所定のサービスエリアに向けて送信する。
【０００３】
従来のＣＤＭ方式を用いた受信装置には、受信端末において、ＣＤＭ復調及びＦＥＣ（Forward Error Correction：前方誤り訂正）を行う機能を備え、チューナから受信した電気信号をＣＤＭ復調及びエラー訂正して出力する、衛星放送、衛星通信、地上放送あるいは地上通信システム等に用いられるものがある（例えば、特許文献１参照）。
【０００４】
また、従来のＣＤＭ方式の受信装置には、複数の情報チャンネルそれぞれに割り当てられているＣＤＭ方式で多重されたデータをチャンネル毎に全て復調し、チャンネル毎に用意されるバッファに一定時間または一定量蓄積し、情報チャンネルの選局時に該当するバッファから復調データを読み出しデコーダにて復号出力するものもある（例えば特許文献２参照）。
【０００５】
ところで、ＣＤＭ方式の衛星放送システムでは、常に予め定められた周波数帯域（例えば２５ＭＨｚ）を用いて送受信を行い、送信側は複数チャンネル（例えば３０ＣＨ）のＣＤＭ論理チャンネルでコンテンツデータを送信している。一方、受信機では複数チャンネルの全ての受信を１個のチューナで実現しているが、画面上では１つのチャンネルの番組データの受信表示しか行っておらず、受信した他チャンネル（例えば２９ＣＨ）の番組データが表示されずまた保存されず無駄なデータとなっている。
【特許文献１】特開２００５−１６７２９８号公報
【特許文献２】特開２００６−７４２４１号公報
【発明の開示】
【発明が解決しようとする課題】
【０００６】
そこで、本発明は、上記事情を考慮してなされたもので、ＣＤＭ復調、ＦＥＣ及びデコードを行う回路規模の増加を抑え、また番組を記録するメモリ容量の増加も抑え、多重された複数チャンネルの任意のチャンネルの番組データを記録することが可能な受信装置を提供することを目的とするものである。
【課題を解決するための手段】
【０００７】
本願発明の一態様によれば、ＣＤＭ方式で複数チャンネルが多重された、所定の周波数帯域のデジタル放送信号を受信するチューナと、前記チューナの出力をＣＤＭ復調するＣＤＭ部とこのＣＤＭ部で復調されたデータの誤り訂正を行うＦＥＣ部とこのＦＥＣ部で誤り訂正されたデータの復号を行うデコーダ部とを備え、復号された番組データを表示及び音声出力部へ出力する復調復号処理部と、前記復調復号処理部で所望のチャンネルの番組データを復号して視聴しているときに、別のチャネルの番組データを保存するために前記ＣＤＭ部の復調過程で得られるデータを保存するメモリ部と、番組視聴終了後に前記復調復号処理部の受信処理をオフラインにし、前記メモリ部に保存されたデータを、前記復調復号処理部の復調過程に切り換えて入力し復調復号処理して再生可能とする切り換え部と、を具備したことを特徴とする受信装置が提供される。
【０００８】
本願発明の他の態様によれば、ＣＤＭ方式で複数チャンネルが多重された、所定の周波数帯域のデジタル放送信号を受信するチューナと、前記チューナの出力をＣＤＭ復調するＣＤＭ部とこのＣＤＭ部で復調されたデータの誤り訂正を行うＦＥＣ部とこのＦＥＣ部で誤り訂正されたデータの復号を行うデコーダ部とを備え、復号された番組データを表示及び音声出力部へ出力する第１の復調復号処理部と、前記第１の復調復号処理部で所望のチャンネルの番組データを復号して視聴しているときに、リアルタイムで番組データを復調復号処理することが可能な、ＣＤＭ部の一部とＦＥＣ部とデコーダ部とを有する、前記第１の復調復号処理部とは別に設けられた第２の復調復号処理部と、前記第２の復調復号処理部で復号した番組データを保存する一方、保存された番組データを前記表示及び音声出力部へ出力することが可能な切り換え部と、を具備したことを特徴とする受信装置が提供される。
【０００９】
本願発明の他の態様によれば、ＣＤＭ方式で複数チャンネルが多重された、所定の周波数帯域のデジタル放送信号を受信するチューナと、前記チューナの出力をＣＤＭ復調するＣＤＭ部とこのＣＤＭ部で復調されたデータの誤り訂正を行うＦＥＣ部とこのＦＥＣ部で誤り訂正されたデータの復号を行うデコーダ部とを備え、復号された番組データを表示及び音声出力部へ出力する第１の復調復号処理部と、前記第１の復調復号処理部で所望のチャンネルの番組データを復号して視聴しているときに、リアルタイムで番組データを復調復号処理することが可能な、ＣＤＭ部の一部とＦＥＣ部とデコーダ部とを有する、前記第１の復調復号処理部とは別に設けられた第２の復調復号処理部と、前記第１の復調復号処理部で所望のチャンネルの番組データを復号して視聴しているときに、別のチャネルの番組データを保存するために前記ＣＤＭ部の復調過程で得られるデータを保存するメモリ部と、番組視聴終了後に前記第１の復調復号処理部の受信処理をオフラインにし、前記メモリ部に保存されたデータを、前記第１の復調復号処理部の復調過程に切り換えて入力し復調復号処理して再生可能とする第１の切り換え部と、前記第２の復調復号処理部で復号した番組データを保存する一方、保存された番組データを前記表示及び音声出力部へ出力することが可能な第２の切り換え部と、を具備したことを特徴とする受信装置が提供される。
【発明の効果】
【００１０】
本発明によれば、ＣＤＭ復調、ＦＥＣ及びデコードを行う回路規模の増加を抑え、また番組を記録するメモリ容量の増加も抑え、多重された複数チャンネルの任意のチャンネルの番組データを記録することが可能な受信装置を実現することが可能となる。
【発明を実施するための最良の形態】
【００１１】
発明の実施の形態について図面を参照して説明する。  
以降の実施形態では，衛星放送及び地上放送においてＣＤＭ方式を用い複数チャンネルを多重して番組データを放送する放送システムにおける、受信装置について説明する。送信される番組データは、例えばＨ．２６４／ＡＶＣ規格で符号化されているとする。
【００１２】
［第１の実施形態］  
図１は本発明の第１の実施形態の受信装置のブロック図を示している。  
図１に示す受信装置１０は、アンテナ１１と、チューナ１２と、ＣＤＭマッチドフィルタ及びパスサーチ部（CDM MF/PATHサーチ部と略記）１３と、切り換え部１４と、ＣＤＭレイク部（CDMRAKE部と略記）１５と、ＦＥＣ部１６と、デコーダ部１７と、メモリ部１８と、制御部１９と、表示及び音声出力部２０とを備えている。
【００１３】
ここで、ＣＤＭマッチドフィルタ及びパスサーチ部１３と、ＣＤＭレイク部１５と、ＦＥＣ部１６と、デコーダ部１７とは、復調復号された番組のデータを表示及び音声出力部２０へ出力する復調復号処理部を構成している。また、ＣＤＭマッチドフィルタ及びパスサーチ部１３とＣＤＭレイク部１５とは、チューナ１２の出力をＣＤＭ復調するＣＤＭ部を構成している。
【００１４】
チューナ１２は、アンテナ１１から入力された、ＣＤＭ方式で複数チャンネルが多重された所定の周波数帯域（例えば、２５ＭＨｚ）のデジタル放送信号を受信し検波する１個のチューナである。  
ＣＤＭマッチドフィルタ及びパスサーチ部１３は、２５ＭＨｚの周波数帯域からＣＤＭの拡散コードで多重化されたチャンネルの信号間の相関をとるマッチドフィルタと、反射波に基づいて発生するマルチパスの全数を抽出するパスサーチ部とを備えている。このＣＤＭマッチドフィルタ及びパスサーチ部１３は、後段の他の回路部よりも回路規模が非常に大きくなる。
【００１５】
切り換え部１４は、現在視聴中のチャンネルの番組データと、メモリ部１８に既に記録済みで復調復号されていない番組データとを切り換えて後段の回路部に供給するためのスイッチ回路（ＳＷ）で構成されている。  
ＣＤＭレイク部１５は、前述のパスサーチ部にて抽出されたマルチパスから必要なマルチパス数を限定して位相合わせをして足し込み（最大比合成）、ＣＤＭの逆拡散コードを掛け算することでＣＤＭ復調する。ここで多重された複数のチャンネルが分離される。
【００１６】
ＦＥＣ部１６は、送信側から伝送しているときに生じる誤り（エラー）が一定範囲内であれば、その誤りを検出して訂正する誤り訂正回路である。  
デコーダ部１７は、前段でＣＤＭ復調されかつ誤り訂正された、Ｈ．２６４／ＡＶＣ規格で符号化された番組データを復号する復号回路である。
【００１７】
メモリ部１８は、本実施形態では、チューナ１２及び復調復号処理部（１３，１５〜１７）で所望のチャンネルの番組データを復号して視聴（表示及び音声出力）しているときに、別のチャネルの番組データを保存するためにＣＤＭ部（１３，１５）の復調過程（１３）で得られるデータを所謂裏番組録画するのに用いられる。なお、メモリ部１８に記録するデータは視聴中の番組データであってもよく、或いは視聴中の番組データを含んだデータであってもよい。但し、メモリ部１８には、復調復号が未だされていない謂わば中間状態のデータ（以下、このデータを、復調復号処理後の映像及び音声信号の番組データと区別してダウンロードデータと呼ぶことにする）が記録される。勿論、切り換え部１４をオフに制御することによって、ある番組データを表示及び音声出力部にて視聴することなく、番組データをメモリ部１８に記録する処理（ダウンロード）のみを行うことも可能である。
【００１８】
表示及び音声出力部２０は、復号された映像信号を表示する表示部と、復号された音声信号を音声出力するスピーカ等の音声出力部とを備えた、液晶等のディスプレイ装置又はテレビジョン受像機などである。  
制御部１９は、受信装置１０内の各回路を制御するもので、例えば、予め裏番組録画が制御部１９に設定（裏番組録画のチャンネル設定など）されている場合には、図示しない操作スイッチ等の操作部からのユーザ入力またはメール受信入力に基づいて、切り換え部１４を制御することによって、メモリ部１８に記録済みのデータを符号１４〜１７に示す部分で復調復号処理して映像及び音声として再生させる制御を行うことができる。
【００１９】
図２は切り換え部１４の構成例を示している。切り換え部１４は、切り換えスイッチＳＷ１で構成され、ＣＤＭマッチドフィルタ及びパスサーチ部１３からの未復調データを入力する入力端ａと、メモリ部１８からの記録済み未復調データを入力する入力端ｂと、制御部１９からの切換信号によって入力端ａ又は入力端ｂを選択し、ＣＤＭレイク部１５へ出力する摺動出力端ｃとを備えている。
【００２０】
なお、ＣＤＭマッチドフィルタ及びパスサーチ部１３，ＣＤＭレイク部１５，デコーダ部１７の各出力の転送レートは、例えば、ＣＤＭマッチドフィルタ及びパスサーチ部１３の出力は５１２×１０kbps、ＣＤＭレイク部１５の出力は５１２kbps、デコーダ部１７の出力は２２０kbps程度である。
【００２１】
次に、図１の受信装置１０の動作を説明する。  
現在放送中の番組を通常再生する場合には、ユーザは制御部１９に指示して通常再生モードに設定すると、切り換え部１４は、ＣＤＭマッチドフィルタ及びパスサーチ部１３とＣＤＭレイク部１５とを電気的に接続した状態となる。従って、アンテナ１１から入力した放送信号は、チューナ１２→ＣＤＭマッチドフィルタ及びパスサーチ部１３→切り換え部１４→ＣＤＭレイク部１５→ＦＥＣ部１６→デコーダ部１７→表示及び音声出力部２０のルートで再生されて、番組を視聴できる。
【００２２】
裏番組録画を行う場合には、ユーザは図示しない操作部を介して制御部１９に指示して裏番組録画モードに設定すると、通常の放送再生（番組視聴）をチューナ１２→ＣＤＭマッチドフィルタ及びパスサーチ部１３→切り換え部１４→ＣＤＭレイク部１５→ＦＥＣ部１６→デコーダ部１７→表示及び音声出力部２０のルートでリアルタイムで行い、録画のためのダウンロードデータを、ＣＤＭマッチドフィルタ及びパスサーチ部１３→メモリ部１８のルートで、メモリ部１８に直接保存する。
【００２３】
裏番組録画の再生時は、ユーザ指示に基づいた制御部１９の指示でメモリ部１８の記録済みデータを切り換え部１４を介して、切り換え部１４→ＣＤＭレイク部１５→ＦＥＣ部１６→デコーダ部１７→表示及び音声出力部２０のルートで復調復号処理し、映像信号及び音声信号を再生する。  
第１の実施形態では、裏番組録画の場合は、現在の視聴番組終了後に、メモリ部の記録データを復調復号してから表示及び音声出力部２０で視聴することになるが、復調復号処理の系統は、ＣＤＭレイク部１５，ＦＥＣ部１６及びデコーダ部１７の１系統のみでよい。
【００２４】
［第２の実施形態］
図３は本発明の第２の実施形態の受信装置のブロック図を示している。  
図３に示す受信装置１０Ａにおいて、図１の受信装置１０と異なる点は、図１におけるデコーダ部１７と表示及び音声出力部２０との間に、第２の切り換え部２１を設けて、メモリ部１８で記録した未復調復号のダウンロードデータを切り換え部１４を経てＣＤＭレイク部１５，ＦＥＣ部１６及びデコーダ部１７で復調復号処理した後の番組データを第２の切り換え部２１を介してメモリ部１８に再保存可能にする構成としたものである。それ以外の構成は、図１と同様である。
【００２５】
図４は切り換え部２１の構成例を示している。切り換え部２１は、２つの切り換えスイッチＳＷ2，ＳＷ3で構成されている。切り換えスイッチＳＷ2は、デコーダ部１７のデコーダ出力を入力する摺動入力端ｈと、メモリ部１８へ記録用の復号データを出力する出力端ｅと、表示及び音声出力部２０へ接続する出力端ｇと、スイッチのオフ位置となるオフ端ｆとを備えている。スイッチＳＷ3は、表示及び音声出力部２０へ接続する摺動出力端ｊと、メモリ部１８から読み出した記録データを入力する入力端ｉとを備えている。この２つの切り換えスイッチＳＷ2，ＳＷ3の切り換えは、相互に所定の切り換え関係を有している。復号データをメモリ部１８へ記録するときには、スイッチＳＷ2，ＳＷ3の摺動子（切り換え接片）が点線の状態に設定され、スイッチＳＷ2が出力端ｅに接続し、スイッチＳＷ3がオフとなる。また、記録データをメモリ部１８から表示及び音声出力部２０へ出力するときには、スイッチＳＷ2，ＳＷ3の摺動子が一点鎖線の状態に設定され、スイッチＳＷ2が出力端ｆに接続され、スイッチＳＷ3が入力端ｉに接続されてオンとなる。さらに、復号データを表示及び音声出力部２０へ出力するときには、スイッチＳＷ2，ＳＷ3の摺動子（切り換え接片）が実線の状態に設定され、スイッチＳＷ2が出力端ｇに接続され、スイッチＳＷ3がオフされる。
【００２６】
図３の受信装置１０Ａにおける裏番組録画の動作を説明する。  
通常の放送再生をチューナ１２→ＣＤＭマッチドフィルタ及びパスサーチ部１３→切り換え部１４→ＣＤＭレイク部１５→ＦＥＣ部１６→デコーダ部１７→表示及び音声出力部２０のルートでリアルタイムで行い、同時に、ＣＤＭ復調で多重チャンネルを分離した後のデータ中で現在視聴している以外の番組データをメモリ部１８にダウンロード保存する。現在視聴中の番組終了後にメモリ部１８に保存されたＣＤＭ復調の一部処理後のデータの内の所望の番組データを切り換え部１４を切り換えることによってオフラインでＣＤＭ復調の一部処理、誤り訂正、復号処理を行い、切り換え部２１を経て表示及び音声出力部２０で視聴する。或いは、オフラインでＣＤＭ復調の一部処理、誤り訂正、復号処理を行った後の番組データを切り換え部２１を切り換えることによってメモリ部１８に再保存する。このときの録画再生時は、制御部１９の指示でメモリ部１８に再保存された番組データを切り換え部２１を介して表示及び音声出力部２０に送信して映像信号及び音声信号を再生する。
【００２７】
前述したように、ＣＤＭマッチドフィルタ及びパスサーチ部１３，ＣＤＭレイク部１５，デコーダ部１７の各出力の転送レートは、例えば、ＣＤＭマッチドフィルタ及びパスサーチ部１３の出力は５１２×１０kbps、ＣＤＭレイク部１５の出力は５１２kbps、デコーダ部１７の出力は２２０kbps程度である。従って、メモリ部１８に対する再保存データの転送レートは、ダウンロードデータの転送レートより小さくなる。制御部１９は、再保存データをメモリ部１８に転送して再保存した後、ダウンロードデータをメモリ部１８から消去するようにしてもよい。
【００２８】
第２の実施形態では、裏番組録画の場合に、ＣＤＭ復調の一部処理、誤り訂正、復号処理を行った後の番組データを、切り換え部２１によってメモリ部１８に再保存することができるので、後に必要なときにユーザが再生指示することによって、番組データをＤＭ(一部)復調、誤り訂正、復号処理を再び行わずに即座に映像信号及び音声信号を再生して視聴することができる。
【００２９】
［第３の実施形態］
図５は本発明の第３の実施形態の受信装置のブロック図を示している。  
図５に示す受信装置１０Ｂにおいて、図１の受信装置１０と異なる点は、図１における切り換え部１４を省略し、ＣＤＭレイク部１５，ＦＥＣ部１６及びデコーダ部１７による第１の復調復号処理系統のほかに、ＣＤＭレイク部２２，ＦＥＣ部２３及びデコーダ部２４による第２の復調復号処理系統を備えた構成とし、第２の復調復号処理系統のデコーダ部２４と表示及び音声出力部２０との間に、切り換え部２５を設け、かつＣＤＭマッチドフィルタ及びパスサーチ部１３からメモリ部１８への配線を省略した構成としたものである。
【００３０】
図６は切り換え部２５の構成例を示している。切り換え部２５は、２つの切り換えスイッチＳＷ4，ＳＷ5で構成されている。切り換えスイッチＳＷ4は、デコーダ部２４のデコーダ出力を入力する摺動入力端ｐと、メモリ部１８へ記録用の復号データを出力する出力端ｋと、表示及び音声出力部２０へ接続する出力端ｎと、スイッチのオフ位置となるオフ端ｍとを備えている。スイッチＳＷ5は、表示及び音声出力部２０へ接続する摺動出力端ｒと、メモリ部１８から読み出した記録データを入力する入力端ｑとを備えている。この２つの切り換えスイッチＳＷ4，ＳＷ5の切り換えは、相互に所定の切り換え関係を有している。復号データをメモリ部１８へ記録するときには、スイッチＳＷ2，ＳＷ3の摺動子（切り換え接片）が点線の状態に設定され、スイッチＳＷ4が出力端ｋに接続し、スイッチＳＷ5がオフとなる。また、記録データをメモリ部１８から表示及び音声出力部２０へ出力するときには、スイッチＳＷ4，ＳＷ5の摺動子が一点鎖線の状態に設定され、スイッチＳＷ2が出力端ｍに接続され、スイッチＳＷ5が入力端ｑに接続されてオンとなる。さらに、復号データを表示及び音声出力部２０へ出力するときには、スイッチＳＷ4，ＳＷ5の摺動子（切り換え接片）が実線の状態に設定され、スイッチＳＷ4が出力端ｎに接続され、スイッチＳＷ5がオフされる。
【００３１】
なお、前述と同様に、ＣＤＭマッチドフィルタ及びパスサーチ部１３、ＣＤＭレイク部１５，２２、デコーダ部１７，２４の各出力の転送レートは、例えば、ＣＤＭマッチドフィルタ及びパスサーチ部１３の出力は５１２×１０kbps、ＣＤＭレイク部１５，２２の出力は５１２kbps、デコーダ部１７，２４の出力は２２０kbps程度である。
【００３２】
このような構成とすることにより、ＣＤＭの一部処理後のデータに対する一部復調処理、誤り訂正、復号処理の径路を複数系統備えることで、現在視聴する番組データと同時にリアルタイムで他の番組データを復調復号処理して、その復調復号処理後のデータをメモリ部１８に保存し、その後にユーザ指示に基づく制御部１９の再生指示によりメモリ部１８に保存された番組データを必要なときに直ぐに視聴することが可能となる。
【００３３】
次に、図５の受信装置１０Ｂの動作を説明する。  
通常の１つのチャンネルの視聴は、チューナ１２→ＣＤＭマッチドフィルタ及びパスサーチ部１３→ＣＤＭレイク部１５→ＦＥＣ部１６→デコーダ部１７→表示及び音声出力部２０のルートで行われる。
【００３４】
裏番組録画を行う場合において、例えば１つのチャンネルの通常の放送再生と他の１つのチャンネルの録画の場合は、通常の放送再生をチューナ１２→ＣＤＭマッチドフィルタ及びパスサーチ部１３→ＣＤＭレイク部１５→ＦＥＣ部１６→デコーダ部１７→表示及び音声出力部２０のルートでリアルタイムで行い、録画のためのデータをＣＤＭマッチドフィルタ及びパスサーチ部１３→ＣＤＭレイク部２２→ＦＥＣ部２３→デコーダ部２４のルートで映像及び音声データを再生し、この復調復号された番組データを制御部１９の制御で切り換え部２５を通してメモリ部１８に記憶する。
【００３５】
このときの裏番組録画では、復調復号された番組データをメモリ部１８に録画するので、小さい転送レートでメモリ部１８に記録することができ、メモリ部１８の容量を削減することができる。
【００３６】
録画再生時は、ユーザ指示に基づいた制御部１９の指示でメモリ部１８の番組データを切り換え部２５を介して表示及び音声出力部２０に送信して映像及び音声を再生する。
【００３７】
第３の実施形態では、裏番組録画の場合に、現在視聴する番組データを復調復号処理して視聴できる同時に、ＣＤＭの一部復調処理、誤り訂正、復号処理を行った後の番組データを、切り換え部２５によってメモリ部１８にリアルタイムに保存することができる。従って、後に必要なときにユーザが再生指示することによって、番組データの映像及び音声を即座に再生して視聴することができる。
【００３８】
［第４の実施形態］
図７は本発明の第４の実施形態の受信装置のブロック図を示している。  
図７に示す受信装置１０Ｃは、図１の第１の実施形態と図５の第３の実施形態とを組み合わせた構成を示している。言い換えれば、図５の構成において、ＣＤＭマッチドフィルタ及びパスサーチ部１３とＣＤＭレイク部１５の間に、切り換え部１４を接続し、ＣＤＭマッチドフィルタ及びパスサーチ部１３からメモリ部１８に対して配線を接続した構成となっている。
【００３９】
本第４の実施形態は、第１の実施形態における第１の復調復号処理系統のみによる録画再生と、第３の実施形態における第１及び第２の復調復号処理系統による録画再生と、の裏番組録画動作が可能である。すなわち、制御部１９は、ダウンロードデータの保存及びオフラインでの１系統のみの復調復号処理による番組データの再生動作と、複数系統の復調復号処理によるリアルタイムでの保存及びその後の再生動作と、のいずれかを選択する。
【００４０】
(1)ダウンロードデータの保存及びオフラインでの１系統のみの復調復号処理による番組データの再生動作の場合
裏番組録画を行う場合、ユーザは制御部１９に指示して裏番組録画モードに設定すると、通常の再生をチューナ１２→ＣＤＭマッチドフィルタ及びパスサーチ部１３→切り換え部１４→ＣＤＭレイク部１５→ＦＥＣ部１６→デコーダ部１７→表示及び音声出力部２０のルートでリアルタイムで行い、録画のためのダウンロードデータを、ＣＤＭマッチドフィルタ及びパスサーチ部１３→メモリ部１８のルートで、メモリ部１８に直接保存する。
【００４１】
裏番組録画の再生時は、ユーザ指示に基づく制御部１９の指示でメモリ部１８の記録済みデータを切り換え部１４を介して切り換え部１４→ＣＤＭレイク部１５→ＦＥＣ部１６→デコーダ部１７→表示及び音声出力部２０のルートで処理し、映像データ及び音声データを再生する。
【００４２】
(2)複数系統の復調復号処理によるリアルタイムでの保存及びその後の再生動作の場合
通常の１つのチャンネルの視聴は、チューナ１２→ＣＤＭマッチドフィルタ及びパスサーチ部１３→切り換え部１４→ＣＤＭレイク部１５→ＦＥＣ部１６→デコーダ部１７→表示及び音声出力部２０のルートで行われる。
【００４３】
裏番組録画を行う場合において、例えば１つのチャンネルの通常の放送再生と他の１つのチャンネルの録画の場合は、通常の放送再生をチューナ１２→ＣＤＭマッチドフィルタ及びパスサーチ部１３→切り換え部１４→ＣＤＭレイク部１５→ＦＥＣ部１６→デコーダ部１７→表示及び音声出力部２０のルートでリアルタイムで行い、録画のためのをＣＤＭマッチドフィルタ及びパスサーチ部１３→ＣＤＭレイク部２２→ＦＥＣ部２３→デコーダ部２４のルートで映像及び音声データを再生し、制御部１９の指示で切り換え部２５を通してメモリ部１８に記憶する。
【００４４】
録画再生時は、制御部１９の指示でメモリ部１８の番組データを切り換え部２５を介して表示及び音声出力部２０に送信して映像及び音声を再生する。
【００４５】
第４の実施形態では、第１の実施形態と第３の実施形態とを組み合わせたハイブリッドな構成を実現することができる。
【００４６】
［第５の実施形態］
図８は本発明の第５の実施形態の受信装置のブロック図を示している。  
図８に示す受信装置１０Ｄは、図３の第２の実施形態と図５の第３の実施形態とを組み合わせた構成を示している。言い換えれば、図７の第４の実施形態の構成において、デコーダ部１７と表示及び音声出力部２０の間に、切り換え部２１を接続した構成とするものである。
【００４７】
本第５の実施形態は、第２の実施形態における第１の復調復号処理系統のみによる録画再生と、第３の実施形態における第１及び第２の復調復号処理系統によるリアルタイムでの録画再生と、の裏番組録画動作が可能である。すなわち、制御部１９は、ダウンロードデータの保存及びオフラインでの１系統のみの復調復号処理による再保存及びその後の再生動作と、複数系統の復調復号処理によるリアルタイムでの保存及びその後の再生動作と、のいずれかを選択する。
【００４８】
(1)ダウンロードデータの保存及びオフラインでの１系統のみの復調復号処理による再保存及びその後の再生動作の場合
通常の再生をチューナ１２→ＣＤＭマッチドフィルタ及びパスサーチ部１３→切り換え部１４→ＣＤＭレイク部１５→ＦＥＣ部１６→デコーダ部１７→表示及び音声出力部２０のルートでリアルタイムで行い、同時に、ＣＤＭ復調で多重チャンネルを分離した後のデータ中で現在視聴している以外のダウンロードデータをメモリ部１８に保存する。現在視聴中の番組終了後にメモリ部１８に保存されたＣＤＭ復調の一部処理後のデータの内の所望の番組データを切り換え部１４を切り換えることによってオフラインでＣＤＭ復調の一部処理、誤り訂正、復号処理を行い、切り換え部２１を経て表示及び音声出力部２０で視聴する。或いは、オフラインでＣＤＭ復調の一部処理、誤り訂正、復号処理を行った後の番組データを切り換え部２１を切り換えることによってメモリ部１８に再保存する。このときの録画再生時は、制御部１９の指示でメモリ部１８に再保存された番組データを切り換え部２１を介して表示及び音声出力部２０に送信して映像信号及び音声信号を再生する。
【００４９】
(2)複数系統の復調復号処理によるリアルタイムでの保存及びその後の再生動作の場合
通常の１つのチャンネルの視聴は、チューナ１２→ＣＤＭマッチドフィルタ及びパスサーチ部１３→切り換え部１４→ＣＤＭレイク部１５→ＦＥＣ部１６→デコーダ部１７→表示及び音声出力部２０のルートで行われる。
【００５０】
裏番組録画を行う場合において、例えば１つのチャンネルの通常の放送再生と他の１つのチャンネルの録画の場合は、通常の放送再生をチューナ１２→ＣＤＭマッチドフィルタ及びパスサーチ部１３→切り換え部１４→ＣＤＭレイク部１５→ＦＥＣ部１６→デコーダ部１７→表示及び音声出力部２０のルートでリアルタイムで行い、録画のためのデータをＣＤＭマッチドフィルタ及びパスサーチ部１３→ＣＤＭレイク部２２→ＦＥＣ部２３→デコーダ部２４のルートで映像及び音声データを再生し、制御部１９の指示で切り換え部２５を介してメモリ部１８に記憶する。
【００５１】
録画再生時は、制御部１９の指示でメモリ部１８の番組データを切り換え部２５を介して表示及び音声出力部２０に送信して映像及び音声を再生する。
【００５２】
第５の実施形態では、第２の実施形態と第３の実施形態とを組み合わせたハイブリッドな構成を実現することができる。
【００５３】
尚、第３乃至第５の実施形態によれば、複数の復調復号処理系統を有しいるので、表示及び音声出力部に複数の映像及び音声信号を同時に入力して、図９に示すように例えば２画面表示させることが可能である。
【００５４】
以上述べた本発明による受信装置によれば、１個のチューナを用い、ＣＤＭの復調復号処理系統の回路部のハード構成を最小限にし、またメモリ量を抑え、多重された複数チャンネルの任意のチャンネルの番組データをオフラインまたはリアルタイムで保存し、再生することが可能である。
【図面の簡単な説明】
【００５５】
【図１】本発明の第１の実施形態の受信装置のブロック図。
【図２】第１の切り換え部の構成例を示す図。
【図３】本発明の第２の実施形態の受信装置のブロック図。
【図４】第２の切り換え部の構成例を示す図。
【図５】本発明の第３の実施形態の受信装置のブロック図。
【図６】第３の切り換え部の構成例を示す図。
【図７】本発明の第４の実施形態の受信装置のブロック図。
【図８】本発明の第５の実施形態の受信装置のブロック図。
【図９】多画面表示の例を示す図。
【符号の説明】
【００５６】
１０，１０Ａ，１０Ｂ，１０Ｃ…受信装置
１１…アンテナ
１２…チューナ
１３…ＣＤＭマッチドフィルタ／パスサーチ部
１４，２１，２５…切り換え部
１５，２２…ＣＤＭレイク部
１６，２３…ＦＥＣ部
１７，２４…デコーダ部
１８…メモリ部
１９…制御部
２０…表示及び音声出力部
【図１】
2008124667.tif 000003
【図２】
2008124667.tif 000004
【図３】
2008124667.tif 000005
【図４】
2008124667.tif 000006
【図５】
2008124667.tif 000007
【図６】
2008124667.tif 000008
【図７】
2008124667.tif 000009
【図８】
2008124667.tif 000010
【図９】
2008124667.tif 000011